(57)【要約】【課題】  より良い通話品質で通話を行うことができる携帯電話機を提供する。【解決手段】  Ｗ−ＣＤＭＡ電話網に接続するための第１通信手段と、Ｗ−ＣＤＭＡ電話網よりも通話品質が高いＰＨＳ電話網に接続するための第２通信手段と、Ｗ−ＣＤＭＡ電話網を介して受信した着信信号に含まれる発信元端末１１０の電話番号に基づいて、当該発信元端末１１０が接続された電話網の通話品質が、Ｗ−ＣＤＭＡ電話網よりも高いか否かを判別する発信元端末判別手段と、発信元端末判別手段の判別結果に基づいて、Ｗ−ＣＤＭＡ電話網を介し、オンフック操作を促す音声メッセージを発信元端末１１０へ送信するメッセージ送信手段と、発信元端末判別手段の判別結果に基づいて、ＰＨＳ電話網を介し、発信元端末１１０に対する発信処理を行う発信制御手段により構成される。【選択図】  図１
2014220695.tif 000002
【特許請求の範囲】
【請求項１】
ゲート交換機を介して異なる電話網と接続された第１の電話網に接続され、第１の電話網を介して、同一又は異なる電話網に接続された発信元端末と通信することができる携帯電話機において、
第１の電話網に接続するための第１通信手段と、
第１の電話網よりも通話品質が高い第２の電話網に接続するための第２通信手段と、
第１の電話網を介して受信した着信信号に含まれる発信元端末の電話番号に基づいて、当該発信元端末が接続された電話網の通話品質が、第１の電話網よりも高いか否かを判別する発信元端末判別手段と、
上記発信元端末判別手段の判別結果に基づいて、第１の電話網を介し、オンフック操作を促す音声メッセージを上記発信元端末へ送信するメッセージ送信手段と、
上記発信元端末判別手段の判別結果に基づいて、第２の電話網を介し、上記発信元端末に対する発信処理を行う発信制御手段とを備えたことを特徴とする携帯電話機。
【請求項２】
電話網に固有の番号割当情報を保持する番号割当記憶手段を備え、
上記発信元端末判別手段は、上記発信元端末の電話番号を上記番号割当情報と照合することにより、発信元端末が接続された電話網の通話品質が第１の電話網よりも高いか否かを判別することを特徴とする請求項１に記載の携帯電話機。
【請求項３】
ユーザが掛け直しを許可する電話番号として指定した掛け直し許可番号を保持する掛け直し許可番号記憶手段を備え、
上記発信制御手段は、発信元端末が接続された電話網の通話品質が第１の電話網よりも高い場合に、当該発信元端末の電話番号を上記掛け直し許可番号と比較した比較結果に基づいて、上記発信処理を行うことを特徴とする請求項１又は２に記載の携帯電話機。
【請求項４】
上記発信制御手段は、上記発信元端末がオンフックした後に、上記発信処理を行うことを特徴とする請求項１〜３のいずれかに記載の携帯電話機。
【請求項５】
第２通信手段による電波の受信状態に基づいて、第２の電話網に接続された無線基地局の通信エリア内であるか否かを判定する通信圏内判定手段を備え、
上記メッセージ送信手段は、上記通信圏内判定手段の判定結果に基づいて、上記音声メッセージを上記発信元端末へ送信することを特徴とする請求項１〜４のいずれかに記載の携帯電話機。
【発明の詳細な説明】
【技術分野】
【０００１】
本発明は、携帯電話機に係り、さらに詳しくは、ゲート交換機を介して異なる電話網と接続された電話網を介して、同一又は異なる電話網に接続された発信元端末と通信することができる携帯電話機の改良に関する。
【背景技術】
【０００２】
複数の通信方式の１つを選択して相手先端末と通信し、通話を行うことができる携帯電話機が従来から知られている（例えば、特許文献１及び２）。特許文献１に記載の携帯電話機では、ＧＳＭ（Global System for Mobile Communications、ＧＳＭは登録商標）方式と、ＰＨＳ（Personal Handyphone System）方式とのいずれか一方を選択して発信することができる。一方、特許文献２に記載の携帯電話機では、通話中に通信方式を切り替えることができる。
【０００３】
また、ＰＳＴＮ（Public Switched Telephone Network：公衆交換電話網）を介して通信を行うアナログ通信方式と、ＶｏＩＰ（Voice over Internet Protocol）などのインターネットプロトコルを利用する通信網を介して通信を行うデジタル通信方式とのいずれか一方を選択して発信することができる固定電話機も従来から知られている（例えば、特許文献３）。
【先行技術文献】
【特許文献】
【０００４】
【特許文献１】特開２００５−１７６１０１号公報
【特許文献２】特開２００１−５４１６８号公報
【特許文献３】特開２００６−８０９９７号公報
【発明の概要】
【発明が解決しようとする課題】
【０００５】
一般に、ＰＨＳ方式などの小電力無線通信方式は、ＧＳＭ方式、Ｗ−ＣＤＭＡ（Wideband Code Division Multiple Access）方式、ＣＤＭＡ２０００方式などの大電力無線通信方式に比べ、周波数帯域の利用効率が良いことから、低圧縮率の音声符号化方式が採用されている。また、大電力無線通信方式の電話網と小電力無線通信方式の電話網とＰＳＴＮとでは、小電力無線通信方式の電話網やＰＳＴＮを利用する方が大電力無線通信方式の電話網を利用する場合に比べ通話品質が良い。
【０００６】
例えば、通話時の音質は、ＰＨＳ電話網の方がＷ−ＣＤＭＡ電話網よりも良く、原音に近い音声を再現することができる。また、自端末に送話音として入力された音声データが相手先端末から受話音として出力されるまでのタイムラグは、ＰＨＳ電話網の方がＷ−ＣＤＭＡ電話網よりも短い。つまり、ＰＨＳ電話網は、Ｗ−ＣＤＭＡ電話網よりも通話品質が高い。
【０００７】
そこで、大電力無線通信用に割り当てられた電話番号で着信を受け付けた場合、より良い通話品質で通話を行うために、通信方式を小電力無線通信方式に切り替えて発信元端末に電話を掛け直すことが考えられる。しかしながら、単純に、通信方式を小電力無線通信方式に切り替えて発信元端末に電話を掛け直したとしても、発信元端末が接続された電話網の通話品質が大電力無線通信方式よりも高いとは限らないという問題がある。また、仮に、発信元端末が接続された電話網の通話品質が大電力無線通信方式よりも高かったとしても、発信元端末の操作者がオンフック操作を行うまで発信元端末が着信を受け付けないという問題もあった。
【０００８】
本発明は、上記事情に鑑みてなされたものであり、より良い通話品質で通話を行うことができる携帯電話機を提供することを目的とする。特に、第１の電話網を介して着信信号を受信した場合に、発信元端末が接続された電話網の通話品質が第１の電話網よりも高いか否かに応じて、第１の電話網よりも通話品質が高い第２の電話網を介して電話を自動的に掛け直すことができる携帯電話機を提供することを目的とする。また、発信元端末の操作者にオンフック操作を促し、通話品質が第１の電話網よりも高い第２の電話網を介して電話を掛け直した際に、相手先端末が速やかに着信を受け付けるようにした携帯電話機を提供することを目的とする。
【課題を解決するための手段】
【０００９】
本発明による携帯電話機は、ゲート交換機を介して異なる電話網と接続された第１の電話網に接続され、第１の電話網を介して、同一又は異なる電話網に接続された発信元端末と通信することができる携帯電話機であって、第１の電話網に接続するための第１通信手段と、第１の電話網よりも通話品質が高い第２の電話網に接続するための第２通信手段と、第１の電話網を介して受信した着信信号に含まれる発信元端末の電話番号に基づいて、当該発信元端末が接続された電話網の通話品質が、第１の電話網よりも高いか否かを判別する発信元端末判別手段と、上記発信元端末判別手段の判別結果に基づいて、第１の電話網を介し、オンフック操作を促す音声メッセージを上記発信元端末へ送信するメッセージ送信手段と、上記発信元端末判別手段の判別結果に基づいて、第２の電話網を介し、上記発信元端末に対する発信処理を行う発信制御手段とを備えて構成される。
【００１０】
この携帯電話機では、第１の電話網を介して着信信号を受信した場合に、着信信号に含まれる発信元端末の電話番号に基づいて、当該発信元端末が接続された電話網の通話品質が第１の電話網よりも高いか否かが判別される。その様な発信元端末における通話品質の判別結果に基づいて、通話品質が第１の電話網よりも高い第２の電話網を介し発信元端末に対する発信処理を行うので、発信元端末が接続された電話網の通話品質が第１の電話網よりも高いか否かに応じて、第２の電話網を介して電話を自動的に掛け直すことができる。
【００１１】
また、発信元端末における通話品質の判別結果に基づいて、第１の電話網を介しオンフック操作を促す音声メッセージを発信元端末へ送信するので、発信元端末の操作者にオンフック操作を促すことができ、通話品質が第１の電話網よりも高い第２の電話網を介して電話を掛け直した際に、相手先端末が速やかに着信を受け付けるようにすることができる。
【発明の効果】
【００１２】
本発明によれば、より良い通話品質で通話を行うことができる携帯電話機を提供することができる。特に、第１の電話網を介して着信信号を受信した場合に、発信元端末が接続された電話網の通話品質が第１の電話網よりも高いか否かに応じて、第１の電話網よりも通話品質が高い第２の電話網を介して電話を自動的に掛け直すことができる。また、発信元端末の操作者にオンフック操作を促し、通話品質が第１の電話網よりも高い第２の電話網を介して電話を掛け直した際に、相手先端末が速やかに着信を受け付けるようにした携帯電話機を提供することができる。
【図面の簡単な説明】
【００１３】
【図１】本発明の実施の形態による携帯電話機１を含む電話掛け直しシステム１００の一構成例を示したシステム図である。
【図２】図１の携帯電話機１の一構成例を示した斜視図である。
【図３】図２の携帯電話機１における電話着信時の動作の一例を示した図であり、着信画面２１、応答画面２２及び発信画面２３が示されている。
【図４】自端末（携帯電話機１）がＷ−ＣＤＭＡ電話網を介して着信信号を受信した場合の発信元端末１１０及び自端末の動作の一例を示したシーケンス図である。
【図５】図２の携帯電話機１の動作の一例を示した図であり、掛け直し許可番号を登録するための登録画面３０が示されている。
【図６】図２の携帯電話機１内の機能構成の一例を示したブロック図である。
【図７】図６の主制御部４０の構成例を示したブロック図である。
【図８】図６の携帯電話機１における電話着信時の動作の一例を示したフローチャートである。
【図９】図６の携帯電話機１における電話着信時の動作の一例を示したフローチャートである。
【発明を実施するための形態】
【００１４】
＜電話掛け直しシステム１００＞
図１は、本発明の実施の形態による携帯電話機１を含む電話掛け直しシステム１００の一構成例を示したシステム図である。この図には、発信元端末１１０が固定電話機であり、かつ、携帯電話機１がＰＳＴＮ及びＷ−ＣＤＭＡ電話網を順に経由した発信元端末１１０からの着信信号を受信した場合が示されている。
【００１５】
この電話掛け直しシステム１００は、ＰＳＴＮ、Ｗ−ＣＤＭＡ電話網及びＰＨＳ電話網と、ＰＳＴＮに接続された発信元端末１１０と、ＩＧＳ（Interconnecting Gateway Switch：ゲート交換機）１２０と、Ｗ−ＣＤＭＡ電話網及びＰＨＳ電話網に接続された携帯電話機１とからなる。
【００１６】
ＰＳＴＮは、２以上の固定電話機を相互接続するための電話網である。Ｗ−ＣＤＭＡ電話網は、２以上の携帯電話機を相互接続するための電話網であり、携帯電話機と無線通信するＷ−ＣＤＭＡ基地局１３０が接続されている。ＰＨＳ電話網は、２以上のＰＨＳ端末を相互接続するための電話網であり、ＰＨＳ端末と無線通信するＰＨＳ基地局１４０が接続されている。
【００１７】
Ｗ−ＣＤＭＡ方式は、３Ｇ（第三世代移動通信システム）と呼ばれる大電力無線通信方式の一つである。一方、ＰＨＳ通信方式は、小電力無線通信方式の一つであり、ＰＨＳ基地局１４０の通信エリアは、Ｗ−ＣＤＭＡ基地局１３０の通信エリアに比べて狭い。例えば、Ｗ−ＣＤＭＡ基地局１３０は、マクロセルと呼ばれる半径が数ｋｍ程度の領域を通信エリアとしてカバーするのに対し、ＰＨＳ基地局１４０は、マイクロセルと呼ばれる半径が数百ｍ程度の領域を通信エリアとしてカバーする。
【００１８】
例えば、Ｗ−ＣＤＭＡ電話網には、ＡＭＲ（Adaptive Multi-Rate：適応多重レート）と呼ばれる音声符号化方式が採用され、ＰＨＳ電話網には、ＡＤＰＣＭ（Adaptive Differential Pulse Code Modulation：適応的差分パルス符号変調）と呼ばれる音声符号化方式が採用されている。ＡＤＰＣＭ方式は、時間領域での符号化方式であり、周波数領域での符号化方式であるＡＭＲ方式に比べ、符号化遅延が少なく、音声データの圧縮率が低く、また、通信速度が速いといった特性を有する。Ｗ−ＣＤＭＡ方式における音声データの転送速度は、１２．２ｋｂｐｓ程度であり、ＰＨＳ方式における音声データの転送速度は、通信速度３２ｋｂｐｓ程度である。ＰＳＴＮでは、ＰＣＭ（パルス符号変調）と呼ばれる音声符号化方式が採用されており、ＰＨＳ方式と同程度か、或いは、それ以上の通話品質を有する。
【００１９】
ＩＧＳ１２０は、異なる２つの電話網を相互接続するための中継装置であり、音声コードの変換などが行われる。この様なＩＧＳ１２０は、ＰＳＴＮ及びＷ−ＣＤＭＡ電話網間と、ＰＳＴＮ及びＰＨＳ電話網間と、Ｗ−ＣＤＭＡ電話網及びＰＨＳ電話網間とにそれぞれ設けられている。
【００２０】
携帯電話機１は、ＩＧＳ１２０を介してＰＳＴＮと接続されたＷ−ＣＤＭＡ電話網に接続され、このＷ−ＣＤＭＡ電話網を介して、発信元端末１１０と通信することができる携帯可能な通信端末である。携帯電話機１は、Ｗ−ＣＤＭＡ電話網を介して発信元端末１１０からの着信信号を受信した場合、より良い通話品質で通話を行うために、通信方式をＰＨＳ方式へ切り替えて自動的に電話を掛け直す発信処理を行う。この発信処理は、発信元端末１１０の電話番号を宛先とする発信処理であり、携帯電話機１から送信された着信信号がＰＨＳ基地局１４０、ＰＨＳ電話網、ＩＧＳ１２０及びＰＳＴＮを順に経由して発信元端末１１０へ伝送される。
【００２１】
発信元端末１１０がＰＨＳ端末であり、かつ、携帯電話機１がＰＨＳ電話網及びＷ−ＣＤＭＡ電話網を順に経由した発信元端末１１０からの着信信号を受信した場合にも、通信方式をＰＨＳ方式へ切り替えて自動的に電話を掛け直す発信処理が行われる。
【００２２】
＜携帯電話機１＞
図２は、図１の携帯電話機１の一構成例を示した斜視図である。この携帯電話機１は、薄型筐体１０、タッチパネル１１、受話用のスピーカ１２、送話用のマイクロホン１３及び操作キー１４ａ〜１４ｃを備えて構成される。
【００２３】
薄型筐体１０は、板状の直方体形状からなる端末筐体である。タッチパネル１１、スピーカ１２、マイクロホン１３及び操作キー１４ａ〜１４ｃは、通話時には縦長状態になる薄型筐体１０の前面に設けられている。スピーカ１２は、薄型筐体１０の長手方向における一方の端部に配置され、マイクロホン１３及び操作キー１４ａ〜１４ｃは、他方の端部に配置されている。
【００２４】
タッチパネル１１は、表示面に文字情報等を表示するとともに、表示面へのタッチ操作を検出する。例えば、タッチパネル１１は、ＬＣＤ（液晶ディスプレイ）などの表示装置と、静電容量方式のタッチセンサとからなる。スピーカ１２は、受話音を出力するための音声出力装置である。マイクロホン１３は、送話音を入力するための音声入力装置である。
【００２５】
操作キー１４ａ〜１４ｃは、いずれもユーザの押下操作を検出する接点式スイッチからなり、各種機能が割り当てられる。例えば、操作キー１４ａは、前の画面に戻るためのリターンキーである。また、操作キー１４ｂは、ホーム画面を表示するためのホームキーである。また、操作キー１４ｃは、メニュー画面を表示するためのメニューキーである。
【００２６】
図３は、図２の携帯電話機１における電話着信時の動作の一例を示した図である。図中の（ａ）には、タッチパネル１１上に表示される着信画面２１が示され、（ｂ）には、応答画面２２が示され、（ｃ）には、発信画面２３が示されている。
【００２７】
着信画面２１、応答画面２２及び発信画面２３は、電話着信、自動応答及び自動発信をそれぞれユーザに報知するための報知画面であり、ピクト表示領域２、応答ボタン３、通話終了ボタン４が画面内に配置されている。ピクト表示領域２には、通信方式ごとの電波の受信状態、電池残量、現在時刻を示す絵文字（ピクトグラム）が表示されている。
【００２８】
着信画面２１は、Ｗ−ＣＤＭＡ用に割り当てられた電話番号で着信を受け付けた場合に表示され、発信元番号及び応答ボタン３と、Ｗ−ＣＤＭＡ方式で着信中であることを示す文字メッセージとが表示されている。発信元番号は、発信元端末１１０の電話番号であり、Ｗ−ＣＤＭＡ電話網を介して受信した着信信号に基づいて取得される。
【００２９】
応答ボタン３は、オフフック操作用のアイコンであり、タッチ操作を行うことにより、オフフックし、着信中のＷ−ＣＤＭＡ方式で通話を開始することができる。携帯電話機１は、Ｗ−ＣＤＭＡ用に割り当てられた電話番号で着信を受け付けたときから、応答ボタン３が操作されることなく一定時間が経過すれば、自動的にオフフックし、発信元端末１１０に音声メッセージを送信する。
【００３０】
応答画面２２は、Ｗ−ＣＤＭＡ方式での電話着信に自動応答した場合に表示され、発信元番号、応答ボタン３及び通話終了ボタン４と、発信元端末１１０において応答メッセージが再生中であることを示す文字メッセージとが表示されている。発信元端末１１０では、操作者にオンフック操作を促すための音声メッセージが再生される。例えば、「こちらから掛け直しますので、一旦電話を切ってお待ち下さい。」といった音声ガイダンスが再生される。発信元端末１１０の操作者にオンフック操作を促すことにより、通信方式をＰＨＳ方式に切り替えて電話を掛け直した際に、相手先端末が速やかに着信を受け付けるようにすることができる。
【００３１】
通話終了ボタン４は、オンフック操作用のアイコンであり、タッチ操作を行うことにより、オンフックし、通信回線を切断することができる。携帯電話機１は、Ｗ−ＣＤＭＡ方式での電話着信に自動応答した後、発信元端末１１０がオンフックすれば、通信方式をＰＨＳ方式に切り替えて自動的に発信処理を行う。この発信処理は、発信元番号を宛先として行われる電話掛け直しの処理である。
【００３２】
発信画面２３は、Ｗ−ＣＤＭＡ方式での電話着信の発信元端末１１０に対しＰＨＳ方式で自動発信した場合に表示され、相手先番号及び通話終了ボタン４と、ＰＨＳ方式で発信中であることを示す文字メッセージとが表示されている。相手先番号は、Ｗ−ＣＤＭＡ方式での電話着信時に取得した発信元番号である。相手先端末がオフフックすれば、ＰＨＳ方式で通話を開始することができる。
【００３３】
図４は、自端末（携帯電話機１）がＷ−ＣＤＭＡ電話網を介して着信信号を受信した場合における発信元端末１１０及び自端末の動作の一例を示したシーケンス図である。発信元端末１１０が自端末を宛先とするＷ−ＣＤＭＡ用の電話番号に発信すれば、Ｗ−ＣＤＭＡ基地局１３０を経由して通信回線が接続され、自端末に着信する（ステップＳ１０１）。自端末は、着信画面２１をタッチパネル１１に表示し、受信した着信信号から発信元番号を抽出する（ステップＳ１０２）。
【００３４】
携帯電話機１は、通信方式をＰＨＳ方式に切り替えて電話を掛け直すことで通話品質が良くなるのかどうかを判断するために、発信元端末１１０が接続された電話網の通話品質がＷ−ＣＤＭＡ電話網よりも高いか否かを判別する（ステップＳ１０３）。この様な発信元端末１１０における通話品質の判別は、発信元番号に基づいて行われる。
【００３５】
また、携帯電話機１は、ユーザの意図に反して通話料金が課金されるのを防ぐために、ユーザが予め指定した１又は２以上の電話番号を掛け直し許可番号として保持し、発信元番号を掛け直し許可番号と比較して電話を掛け直すか否かを判断する（ステップＳ１０４）。
【００３６】
自端末は、発信元端末１１０が接続された電話網の通話品質がＷ−ＣＤＭＡ電話網よりも高く、かつ、発信元番号が掛け直し許可番号のいずれか一つと一致した場合に、オフフックし、オンフック操作を促す応答メッセージを発信元端末１１０へ送信する（ステップＳ１０５，Ｓ１０６）。発信元端末１１０は、この応答メッセージを再生する（ステップＳ１０７）。
【００３７】
次に、発信元端末１１０はオンフックし（ステップＳ１０８）、これにより、通信回線が切断される。自端末は、通信回線が切断されたことを検知すれば（ステップＳ１０９）、通信方式をＰＨＳ方式に切り替えて発信処理を行う（ステップＳ１１０）。この発信処理は、着信時に取得した発信元番号に基づいて行われ、ＰＨＳ基地局１４０を経由して通信回線が接続され、発信元端末１１０に着信する（ステップＳ１１１）。このとき、発信元端末１１０がオフフックすれば、ＰＨＳ方式で通話を開始することができる（ステップＳ１１２）。
【００３８】
＜登録画面３０＞
図５は、図２の携帯電話機１の動作の一例を示した図であり、掛け直し許可番号を登録するための登録画面３０が示されている。登録画面３０は、ユーザが掛け直しを許可する電話番号として指定した１又は２以上の掛け直し許可番号を登録するための入力画面であり、所定のユーザ操作に基づいて表示される。
【００３９】
この登録画面３０には、３つの掛け直し許可番号と、２つの未登録情報とが掛け直し番号リストとして一覧表示されている。掛け直し番号リスト上の各項目は、タッチ操作などによって選択可能である。項目を選択すれば、掛け直し許可番号を新たに登録し、或いは、既に登録されている掛け直し許可番号を編集することができる。
【００４０】
図６は、図２の携帯電話機１内の機能構成の一例を示したブロック図である。この携帯電話機１は、タッチパネル１１、スピーカ１２、マイクロホン１３、操作キー１４ａ〜１４ｃ、主制御部４０、Ｗ−ＣＤＭＡ通信部４１、ＰＨＳ通信部４２、操作部４３、音声処理部４４、表示制御部４５及びメモリ４６により構成される。
【００４１】
主制御部４０は、通話制御などの主要な制御を行う。Ｗ−ＣＤＭＡ通信部４１は、Ｗ−ＣＤＭＡ電話網に接続し、Ｗ−ＣＤＭＡ基地局１３０を介して相手先端末と通信する大電力無線通信部である。ＰＨＳ通信部４２は、Ｗ−ＣＤＭＡ電話網よりも通話品質が高いＰＨＳ電話網に接続し、ＰＨＳ基地局１４０を介して相手先端末と通信する小電力無線通信部である。
【００４２】
操作部４３は、タッチパネル１１のタッチ操作又は操作キー１４ａ〜１４ｃの押下操作に基づいて、操作入力信号を生成し、主制御部４０へ出力する。音声処理部４４は、マイクロホン１３により集音された音声信号を増幅し、デジタルデータに変換して主制御部４０へ出力する一方、主制御部４０から出力された音声データをアナログ信号に変換して駆動信号を生成し、スピーカ１２へ出力する。
【００４３】
表示制御部４５は、タッチパネル１１の表示制御を行い、着信画面２１、応答画面２２及び発信画面２３を表示する。メモリ４６には、主制御部４０の制御プログラムの他に、番号割当情報５１、掛け直し許可番号５２、音声メッセージ５３及び発信元番号５４が保持される。
【００４４】
一般に、通信端末には、通信方式に応じて、桁数や上位桁の数字が異なる電話番号が割り当てられる。例えば、日本国内において、固定電話機には、１０桁の電話番号が割り当てられ、国内プレフィックスを示す数字「０」と、市外局番及び市内局番を示す数字列「ＡＢＣＤＥ」と、加入者番号を示す数字列「ＦＧＨＪ」（Ａ〜Ｊは、０〜９までの数字）とからなる。
【００４５】
一方、Ｗ−ＣＤＭＡ方式の通信端末には、１１桁の電話番号が割り当てられ、上位桁が数字列「０７０ＣＤＥ」（ＣＤＥは、１００〜４９９又は７００〜９９９）、「０８０」又は「０９０」からなる。ＰＨＳ方式の通信端末には、１１桁の電話番号が割り当てられ、上位桁が数字列「０７０ＣＤＥ」（ＣＤＥは、５００〜６９９）からなる。この様な電話番号の割当情報は、総務省が電気通信番号指定状況として提供しているデータを参照することにより、容易に確認し、或いは、更新することができる。
【００４６】
番号割当情報５１は、電話網に固有の番号割当情報、すなわち、上述した電話番号の割当情報からなり、通信方式を電話番号によって識別するのに用いられる。この番号割当情報５１を参照することにより、Ｗ−ＣＤＭＡ方式の通信端末に割り当てられる電話番号と、固定電話機又はＰＨＳ方式の通信端末に割り当てられる電話番号とを識別することができる。例えば、番号割当情報５１は、総務省のウェブサイトから上記電気通信番号指定状況データをダウンロードすることによって、更新される。
【００４７】
掛け直し許可番号５２は、ユーザが掛け直しを許可した電話番号である。音声メッセージ５３は、オンフックを促すための音声ガイダンスであり、一定の時間長からなる音声データにより構成される。なお、２以上の音声メッセージ５３を保持し、それらの音声メッセージ５３の中の一つをユーザが自動応答メッセージとして選択するような構成であっても良い。発信元番号５４は、電話着信時に取得された発信元端末１１０の電話番号である。
【００４８】
＜主制御部４０＞
図７は、図６の主制御部４０の構成例を示したブロック図である。この主制御部４０は、通信圏内判定部４０１、発信元番号取得部４０２、発信元端末判別部４０３、番号比較部４０４、メッセージ送信部４０５及び発信制御部４０６により構成される。
【００４９】
通信圏内判定部４０１は、電話の掛け直しが可能であるか否かを判断するために、ＰＨＳ通信部４２による電波の受信状態に基づいて、ＰＨＳ基地局１４０の通信エリア内であるか否かを判定し、その判定結果をメッセージ送信部４０５及び発信制御部４０６へ出力する。
【００５０】
発信元番号取得部４０２は、Ｗ−ＣＤＭＡ通信部４１により着信が検知された場合に、Ｗ−ＣＤＭＡ電話網を介して受信した着信信号に含まれる発信元端末１１０の電話番号を取得し、発信元番号５４としてメモリ４６内に格納する。
【００５１】
発信元端末判別部４０３は、発信元番号５４に基づいて、発信元端末１１０が接続された電話網の通話品質がＷ−ＣＤＭＡ電話網よりも高いか否かを判別し、その判別結果をメッセージ送信部４０５及び発信制御部４０６へ出力する。具体的には、発信元番号５４を番号割当情報５１と照合することにより、発信元端末１１０が接続された電話網の通話品質がＷ−ＣＤＭＡ電話網よりも高いか否かが判別される。
【００５２】
番号比較部４０４は、発信元番号５４を掛け直し許可番号５２と比較し、その比較結果をメッセージ送信部４０５及び発信制御部４０６へ出力する。メッセージ送信部４０５は、通信圏内判定部４０１の判定結果と、発信元端末判別部４０３の判別結果と、番号比較部４０４の比較結果とに基づいて、メモリ４６からオンフックを促すための音声メッセージ５３を読み出し、Ｗ−ＣＤＭＡ電話網を介して発信元端末１１０へ送信する。
【００５３】
すなわち、メッセージ送信部４０５は、自端末がＰＨＳ基地局１４０の通信エリア内にあり、かつ、発信元端末１１０が接続された電話網の通話品質がＷ−ＣＤＭＡ電話網よりも高く、かつ、発信元番号５４が掛け直し許可番号５２のいずれか一つと一致した場合に、音声メッセージ５３がＷ−ＣＤＭＡ電話網を介して発信元端末１１０へ送信される。
【００５４】
一方、自端末がＰＨＳ基地局１４０の通信エリア外にあるか、或いは、発信元端末１１０が接続された電話網の通話品質がＷ−ＣＤＭＡ電話網よりも高くないか、或いは、発信元番号５４が掛け直し許可番号５２のいずれとも一致しない場合には、音声メッセージ５３は送信されない。
【００５５】
発信制御部４０６は、発信元番号５４を宛先とする発信処理を行う。この発信処理は、通信圏内判定部４０１の判定結果と、発信元端末判別部４０３の判別結果と、番号比較部４０４の比較結果とに基づいて、行われる。すなわち、自端末がＰＨＳ基地局１４０の通信エリア内にあり、かつ、発信元端末１１０が接続された電話網の通話品質がＷ−ＣＤＭＡ電話網よりも高い場合、発信元番号５４が掛け直し許可番号５２のいずれか一つと一致すれば、ＰＨＳ電話網を介し、発信元端末１１０に対する発信処理が行われる。
【００５６】
一方、自端末がＰＨＳ基地局１４０の通信エリア外にあるか、或いは、発信元端末１１０が接続された電話網の通話品質がＷ−ＣＤＭＡ電話網よりも高くないか、或いは、発信元番号５４が掛け直し許可番号５２のいずれとも一致しなければ、上記発信処理は行わない。
【００５７】
また、発信制御部４０６は、ＰＨＳ方式で電話を掛け直した際に、相手先端末が着信を確実に受け付けるようにするために、Ｗ−ＣＤＭＡ通信部４１により通信回線の切断が検知された後に、上記発信処理を行う。つまり、発信制御部４０６は、発信元端末１１０がオンフックした後に、上記発信処理を行う。
【００５８】
例えば、発信元端末１１０が固定電話機である場合、発信元端末１１０の操作者がオンフック操作を行うまで、当該発信元端末１１０が着信を受け付けない場合がある。このため、Ｗ−ＣＤＭＡ通信部４１により通信回線の切断が検知された後に、ＰＨＳ方式で電話を掛け直せば、相手先端末に確実に着信させることができる。
【００５９】
図８及び図９のステップＳ２０１〜Ｓ２１５は、図６の携帯電話機１における電話着信時の動作の一例を示したフローチャートである。この図には、Ｗ−ＣＤＭＡ用の電話番号で着信を受け付けた場合が示されている。まず、主制御部４０は、電話着信があれば、通信方式を確認し、受信した着信信号に基づいて発信元番号５４を取得し、メモリ４６内に格納する（ステップＳ２０１，Ｓ２０２）。このとき、表示制御部４５は、着信画面２１をタッチパネル１１に表示する（ステップＳ２０３）。
【００６０】
主制御部４０は、Ｗ−ＣＤＭＡ方式での着信でなければ、通常の着信処理を行い、この処理を終了する（ステップＳ２０４，Ｓ２１５）。通常の着信処理では、呼出音を出力し、ユーザが応答ボタン３を操作すれば、オフフックする。
【００６１】
Ｗ−ＣＤＭＡ電話網を介して着信信号を受信した場合、主制御部４０は、ＰＨＳ通信部４２による電波の受信状態に基づいて、ＰＨＳ基地局１４０の通信エリア内であるか否かを判定し（ステップＳ２０５）、ＰＨＳ基地局１４０の通信エリア内でなければ、通常の着信処理を行い、この処理を終了する（ステップＳ２１５）。
【００６２】
ＰＨＳ基地局１４０の通信エリア内であった場合、主制御部４０は、発信元番号５４を番号割当情報５１と照合することにより、発信元端末１１０が接続された電話網の通話品質がＷ−ＣＤＭＡ電話網よりも高いか否かを判別する（ステップＳ２０６，Ｓ２０７）。このとき、主制御部４０は、発信元端末１１０が接続された電話網の通話品質がＷ−ＣＤＭＡ電話網よりも高くなければ、通常の着信処理を行い、この処理を終了する（ステップＳ２１５）。
【００６３】
発信元端末１１０が接続された電話網の通話品質がＷ−ＣＤＭＡ電話網よりも高い場合、すなわち、発信元端末１１０がＰＨＳ端末又は固定電話機であった場合、主制御部４０は、発信元番号５４を掛け直し許可番号５２と比較し、発信元番号５４が掛け直し許可番号５２のいずれか一つと一致すれば、オフフックする（ステップＳ２０８〜Ｓ２１０）。このとき、表示制御部４５は、応答画面２２をタッチパネル１１に表示する（ステップＳ２１１）。
【００６４】
発信元番号５４が掛け直し許可番号５２のいずれとも一致しなかった場合、主制御部４０は、通常の着信処理を行い、この処理を終了する（ステップＳ２１５）。次に、主制御部４０は、Ｗ−ＣＤＭＡ電話網を介して、オンフックを促すための音声メッセージ５３を発信元端末１１０へ送信し（ステップＳ２１２）、発信元端末１１０がオンフックすることにより、通信回線が切断されれば（ステップＳ２１３）、ＰＨＳ電話網を介し発信元端末１１０に対する発信処理を行ってこの処理を終了する（ステップＳ２１４）。
【００６５】
本実施の形態によれば、Ｗ−ＣＤＭＡ電話網を介して着信信号を受信した場合に、着信信号に含まれる発信元端末１１０の電話番号に基づいて、発信元端末１１０が接続された電話網の通話品質がＷ−ＣＤＭＡ電話網よりも高いか否かが判別される。その様な発信元端末１１０における通話品質の判別結果に基づいて、通話品質がＷ−ＣＤＭＡ電話網よりも高いＰＨＳ電話網を介して発信元端末１１０に対する発信処理を行うので、発信元端末１１０が接続された電話網の通話品質がＷ−ＣＤＭＡ電話網よりも高いか否かに応じて、ＰＨＳ電話網を介し電話を自動的に掛け直すことができる。
【００６６】
また、Ｗ−ＣＤＭＡ電話網を介して着信信号を受信した場合に、Ｗ−ＣＤＭＡ電話網を介して、オンフックを促すための音声メッセージ５３を発信元端末１１０へ送信するので、発信元端末１１０の操作者にオンフック操作を促すことができ、ＰＨＳ電話網を介し電話を掛け直した際に、相手先端末が速やかに着信を受け付けるようにすることができる。
【００６７】
なお、本実施の形態では、発信元端末１１０がオンフックした後に、ＰＨＳ電話網を介して発信元端末１１０に対する発信処理を行う場合の例について説明したが、本発明は、ＰＨＳ電話網を介した自動発信のタイミングをこれに限定するものではない。
【００６８】
例えば、オンフックを促す音声メッセージ５３を送信してから一定時間が経過すれば、Ｗ−ＣＤＭＡ通信部４１が通信回線を切断し、ＰＨＳ電話網を介し発信元端末１１０に対する発信処理を行うような構成であっても良い。この様に構成することにより、発信元端末１１０が通信回線の切断を検知して着信可能な状態へ自動的に移行する通信端末である場合に、発信元端末１１０の操作者によりオンフック操作が行われるのを待つことなく、ＰＨＳ方式で電話を掛け直すことができる。
【００６９】
また、本実施の形態では、Ｗ−ＣＤＭＡ電話網よりも通話品質が高い電話網に接続された通信端末からＷ−ＣＤＭＡ用の電話番号に着信があれば、通信方式をＰＨＳ方式に切り替えて自動的に電話を掛け直す場合の例について説明した。しかしながら、本発明は、固定電話機から着信があった場合に、固定電話機を利用して電話を掛け直すようにユーザに促すための文字メッセージを着信画面に表示するような構成のものにも適用することができる。発信元端末１１０が固定電話機であれば、固定電話機で電話を掛け直す方が、ＰＨＳ方式やＷ−ＣＤＭＡ方式で掛け直す場合に比べ、より良い通話品質で通話を行うことができる。
【００７０】
本発明の実施の形態による携帯電話機１の構成と対応する作用効果とを以下に整理してまとめる。
第１の本発明による携帯電話機１は、ＩＧＳ１２０を介して異なる電話網と接続されたＷ−ＣＤＭＡ電話網に接続され、Ｗ−ＣＤＭＡ電話網を介して、同一又は異なる電話網に接続された発信元端末１１０と通信することができる携帯電話機１であって、Ｗ−ＣＤＭＡ電話網に接続するためのＷ−ＣＤＭＡ通信部４１と、Ｗ−ＣＤＭＡ電話網よりも通話品質が高いＰＨＳ電話網に接続するためのＰＨＳ通信部４２と、Ｗ−ＣＤＭＡ電話網を介して受信した着信信号に含まれる発信元端末１１０の電話番号に基づいて、当該発信元端末１１０が接続された電話網の通話品質が、Ｗ−ＣＤＭＡ電話網よりも高いか否かを判別する発信元端末判別部４０３と、発信元端末判別部４０３の判別結果に基づいて、Ｗ−ＣＤＭＡ電話網を介し、オンフック操作を促す音声メッセージ５３を発信元端末１１０へ送信するメッセージ送信部４０５と、発信元端末判別部４０３の判別結果に基づいて、ＰＨＳ電話網を介し、発信元端末１１０に対する発信処理を行う発信制御部４０６とを備えて構成される。
【００７１】
この様な構成によれば、発信元端末１１０における通話品質の判別結果に基づいて、通話品質がＷ−ＣＤＭＡ電話網よりも高いＰＨＳ電話網を介し発信元端末１１０に対する発信処理を行うので、発信元端末１１０が接続された電話網の通話品質がＷ−ＣＤＭＡ電話網よりも高いか否かに応じて、ＰＨＳ電話網を介して電話を自動的に掛け直すことができる。また、発信元端末１１０における通話品質の判別結果に基づいて、Ｗ−ＣＤＭＡ電話網を介しオンフック操作を促す音声メッセージ５３を発信元端末１１０へ送信するので、発信元端末１１０の操作者にオンフック操作を促すことができ、通話品質がＷ−ＣＤＭＡ電話網よりも高いＰＨＳ電話網を介して電話を掛け直した際に、相手先端末が速やかに着信を受け付けるようにすることができる。
【００７２】
第２の本発明による携帯電話機１は、上記構成に加え、電話網に固有の番号割当情報５１を保持するメモリ４６を備え、発信元端末判別部４０３が、発信元端末１１０の電話番号を番号割当情報５１と照合することにより、発信元端末１１０が接続された電話網の通話品質がＷ−ＣＤＭＡ電話網よりも高いか否かを判別するように構成される。この様な構成によれば、メモリ４６内の番号割当情報５１を更新することにより、発信元端末１１０が高い通話品質を有する電話網に接続された通信端末であるか否かを常に正確に判別することができる。
【００７３】
第３の本発明による携帯電話機１は、上記構成に加え、ユーザが掛け直しを許可する電話番号として指定した掛け直し許可番号５２を保持するメモリ４６を備え、発信制御部４０６が、発信元端末１１０が接続された電話網の通話品質がＷ−ＣＤＭＡ電話網よりも高い場合に、当該発信元端末１１０の電話番号を掛け直し許可番号５２と比較した比較結果に基づいて、発信処理を行うように構成される。
【００７４】
この様な構成によれば、ユーザが指定した掛け直し許可番号５２と発信元番号５４とが一致しなかった場合に、発信元端末１１０に対する発信処理を行わないことにより、ユーザの意図に反して通話料金が課金されるのを防止することができる。
【００７５】
第４の本発明による携帯電話機１は、上記構成に加え、発信制御部４０６が、発信元端末１１０がオンフックした後に、発信処理を行うように構成される。この様な構成によれば、ＰＨＳ方式で電話を掛け直した際に、相手先端末が着信を確実に受け付けるようにすることができる。
【００７６】
第５の本発明による携帯電話機１は、上記構成に加え、ＰＨＳ通信部４２による電波の受信状態に基づいて、ＰＨＳ電話網に接続されたＰＨＳ基地局１４０の通信エリア内であるか否かを判定する通信圏内判定部４０１を備え、メッセージ送信部４０５が、通信圏内判定部４０１の判定結果に基づいて、音声メッセージ５３を発信元端末１１０へ送信するように構成される。この様な構成によれば、受信状態が悪くてＰＨＳ方式での電話の掛け直しができない場合に、オンフックを促す音声メッセージ５３が発信元端末１１０へ送信されるのを防止することができる。
【符号の説明】
【００７７】
１００  電話掛け直しシステム
１  携帯電話機
１０  薄型筐体
１１  タッチパネル
１２  スピーカ
１３  マイクロホン
１４ａ〜１４ｃ  操作キー
２１  着信画面
２２  応答画面
２３  発信画面
３０  登録画面
４０  主制御部
４０１  通信圏内判定部
４０２  発信元番号取得部
４０３  発信元端末判別部
４０４  番号比較部
４０５  メッセージ送信部
４０６  発信制御部
４１  Ｗ−ＣＤＭＡ通信部
４２  ＰＨＳ通信部
４３  操作部
４４  音声処理部
４５  表示制御部
４６  メモリ
５１  番号割当情報
５２  掛け直し許可番号
５３  音声メッセージ
５４  発信元番号
１１０  発信元端末
１２０  ＩＧＳ
１３０  Ｗ−ＣＤＭＡ基地局
１４０  ＰＨＳ基地局
２  ピクト表示領域
３  応答ボタン
４  通話終了ボタン
【図１】
2014220695.tif 000003
【図２】
2014220695.tif 000004
【図３】
2014220695.tif 000005
【図４】
2014220695.tif 000006
【図５】
2014220695.tif 000007
【図６】
2014220695.tif 000008
【図７】
2014220695.tif 000009
【図８】
2014220695.tif 000010
【図９】
2014220695.tif 000011